(57)【特許請求の範囲】
【請求項１】
下階に構造用壁パネルを立設し、この構造用壁パネルの上部に所定の高さ寸法に設定した構造用梁パネルを立設し、当該構造用梁パネルの下端部を前記構造用壁パネルの上端部に接続するとともに、前記構造用梁パネルの上端部に上階用床部材の縁部を接続し、この上階用床部材の縁部上に、上階を形成する他の構造用壁パネルの下端部を接続したことを特徴とする壁の組立て方法。
【請求項２】
請求項１に記載した壁の組立て方法に使用する構造用梁パネルであって、
矩形板状の発泡断熱材と、この発泡断熱材の外周端面を囲む矩形枠体と、この矩形枠体及び前記発泡断熱材の両側面に一体化された２枚の構造用面材とで構成したことを特徴とする構造用梁パネル。
【請求項３】
外周端面に、前記構造用壁パネルや他の構造用部材に嵌まり込む凹状又は凸状接続部を形成したことを特徴とする請求項２記載の構造用梁パネル。
【請求項４】
前記矩形枠体を、長辺の寸法を短辺の寸法の略２倍の長さに設定し、前記長辺の寸法を前記発泡断熱材の厚さと同一寸法とした横断面矩形状の角材により形成し、前記角材を短辺方向に２部材重ねて前記２枚の構造用面材から外側に突出させることにより前記凸状接続部を形成するとともに、長辺方向を前記２枚の構造用面材に直交させた前記角材を、前記２枚の構造用面材内に位置させることにより前記凹状接続部を形成したことを特徴とする請求項３記載の構造用梁パネル。
【発明の詳細な説明】
【０００１】
【発明の属する技術分野】
この発明は、プレファブ工法や、枠組壁工法を行う際に好適な壁の組立て方法及びこれに使用する構造用梁パネルに関する。
【０００２】
【従来の技術】
プレファブ工法や枠組壁工法は、発泡断熱材に構造用面材を接着した壁パネル、屋根パネル等を使用して構造物を施工する工法であり、パネル自体が地震力、風圧力などの水平力や、鉛直荷重に対抗する構造用部材となる。
【０００３】
図５は、２階を備えた構造物を示すものであり、基礎２上に壁パネル４を立設して下階を形成し、この壁パネル４の上端部に上階床版６の縁部を固定して２階の床面を形成し、その上階床版６の縁部に壁パネル８を立設して上階を形成し、さらに、壁パネル８の上端部に屋根パネル９を固定した構造としている。
【０００４】
ここで、壁パネル４、８は、矩形板状の発泡断熱材を芯材１２とし、その両面に２枚の構造用面材４ａ、８ａを接着により一体化したパネルであり、予め工場で生産され、運搬可能な大きさに組み立てた後、車両により施工現場まで運搬されている。
【０００５】
この壁パネル４、８を使用すると、構造物の鉛直荷重を受ける芯材１２が発泡断熱材なので、断熱性能や防音性能にも優れた構造壁を形成することができる。
【０００６】
【発明が解決しようとする課題】
ところで、近年、室内の天井高さを高くした住宅を施工する場合が多いが、プレファブ工法や枠組壁工法により住宅を施工すると、天井高さを高くすることが難しい。
【０００７】
すなわち、プレファブ工法や枠組壁工法により天井高さを高くするには、壁パネル４、８の高さ寸法（図５で示す壁パネル４のＨ1 の寸法）を長くすればよいが、工場から施工現場まで壁パネル４、８を運搬する車両は、道路交通法により車両の積み荷寸法に制約があるので、壁パネル４、８の高さ寸法を長くすることが難しい。
【０００８】
そのため、図５で示した構造物では、高さ寸法Ｈ1 が短い壁パネル４の上端部に上階床版６の縁部を固定しているので、下階の天井高さは低い寸法ｈ1 にならざるを得ない。
【０００９】
そこで、高さ寸法Ｈ1 を長い寸法として生産した壁パネル４、８を、特殊な運搬車を使用して建築現場まで搬送することが考えられるが、そうすると、材料運搬費の増大により施工コストが高くなるおそれがある。
【００１０】
そこで、この発明は上記事情に鑑みてなされたものであり、施工コストを抑えて構造物内の天井高さを高くすることができ、しかも構造用部材として充分に機能するとともに、断熱及び防音効果も高めることが可能な壁の組立て方法及びこれに使用する構造用梁パネルを提供することを目的としている。
【００１１】
【課題を解決するための手段】
上記課題を解決するために、請求項１記載の壁の組立て方法は、下階に構造用壁パネルを立設し、この構造用壁パネルの上部に所定の高さ寸法に設定した構造用梁パネルを立設し、当該構造用梁パネルの下端部を前記構造用壁パネルの上端部に接続するとともに、前記構造用梁パネルの上端部に上階用床部材の縁部を接続し、この上階用床部材の縁部上に、上階を形成する他の構造用壁パネルの下端部を接続する方法である。
【００１２】
また、請求項２記載の発明は、請求項１に記載した壁の組立て方法に使用する構造用梁パネルであって、矩形板状の発泡断熱材と、この発泡断熱材の外周端面を囲む矩形枠体と、この矩形枠体及び前記発泡断熱材の両側面に一体化された２枚の構造用面材とで構成した。
【００１３】
また、請求項３記載の発明は、請求項２記載の構造用梁パネルにおいて、外周端面に、前記構造用壁パネルや他の構造用部材に嵌まり込む凹状又は凸状の接続部を形成した。
【００１４】
さらに、請求項４記載の発明は、請求項３記載の構造用梁パネルにおいて、前記矩形枠体を、長辺の寸法を短辺の寸法の略２倍の長さに設定し、前記長辺の寸法を前記発泡断熱材の厚さと同一寸法とした横断面矩形状の角材により形成し、前記角材を短辺方向に２部材重ねて前記２枚の構造用面材から外側に突出させることにより前記凸状の接続部を形成するとともに、長辺方向を前記２枚の構造用面材に直交させた前記角材を、前記２枚の構造用面材内に位置させることにより前記凹状の接続部を形成した。
【００１５】
【発明の実施の形態】
以下、本発明の一実施形態について、図面に基づいて説明する。
図１から図３は、本発明に係る構造用梁パネル１０を示すものである。
【００１６】
この構造用梁パネル１０は、所定厚さＴとした矩形板状の発泡断熱材１２と、この発泡断熱材１２の外周面を囲む矩形枠体１４と、この矩形枠体１４及び発泡断熱材１２の両側面に接着により一体化された２枚の構造用面材１６を構成部材としている。また、矩形枠体１４及び２枚の構造用面材１６どうしは、釘１７によって固定されている。
【００１７】
前記矩形枠体１４は、発泡断熱材１２の上端面に接着した上弦枠材１４ａと、発泡断熱材１２の下端面に接着した下弦枠材１４ｂと、発泡断熱材１２の両側端面に接着して上弦及び下弦枠材１４ａ、１４ｂと連結する一対の側枠材１４ｃとで構成されている。
【００１８】
上弦枠材１４ａは、図２に示すように、長辺の寸法Ｌを短辺の寸法Ｓの略２倍に設定した横断面矩形状の角材Ｗであり、この角材Ｗの長辺の寸法Ｌは、発泡断熱材１２の厚さＴと同一に設定している。そして、この上弦材１４ａは、長辺を構造用面材１６に直交させて発泡断熱材１２の上面に接着している。
【００１９】
また、下弦枠材１４ｂは、前述した角材Ｗと同一寸法の角材Ｗを、調整部材１８を間に挟んで短辺方向に２部材重ねて構成されており、それら２部材の角材Ｗの短辺を構造用面材１６に直交させて発泡断熱材１２の下面に接着している。
【００２０】
さらに、一対の側枠材１４ｃも、上述した上弦及び下弦枠材１４ａ、１４ｂで使用したものと同一寸法の角材Ｗを使用しており、上弦枠材１４ａ、下弦枠材１４ｂ及び２枚の構造用面材１６の内面に当接しながら発泡断熱材１２の側端面に接着している。
【００２１】
ここで、前記下弦枠材１４ａは、２枚の構造用面材１６の下端面よりさらに下方に突出した状態で固定されており、この下方を向く下弦枠材１４ｂの凸形状部分が、下側から接続する壁パネル４との凸状接続部２０とされている。
【００２２】
また、一対の側枠材１４ｃは、２枚の構造用面材１６の端部より内側に陥没した状態で固定されており、この凹形状部分が側部から接続する他の構造用梁パネル等との凹状接続部２２とされている。
【００２３】
次に、上記構成の構造用梁パネル１０を使用した壁の組立て方法について、図４を参照して説明する。なお、以下に説明する壁パネル４、８及び構造用梁パネル１０の構成部材である発泡断熱材１２、２枚の構造用面材４ａ、８ａ、１６の厚さは、全て同一寸法に設定されているものとする。
【００２４】
図４によると、先ず、基礎２上に、高さ寸法をＨ1 とした壁パネル４を立設する。ここで、壁パネル４は、発泡断熱材１２を芯材とし、その発泡断熱材１２の両面に２枚の構造用面材４ａを接着により一体化した構造用パネルである。そして、この壁パネル４の上端部は、２枚の構造用面材４ａの上端面より発泡断熱材１２の上端面が内部に位置して凹状接続部４ｄが形成されている。
【００２５】
次に、この壁パネル４の上部に、構造用梁パネル１０の下弦枠材１４ｂ側を接続する。その際、構造用梁パネル１０の下端部に形成した凸状接続部２０を、壁パネル４の凹状接続部４ｄ内に差し込む。そして、図示しないが、凸状接続部２０及び凹状接続部４ｄどうしを釘止めする。
【００２６】
次に、構造用梁パネル１０の上弦枠材１４ａ上に上階床版（上階用床部材）６の縁部を載置し釘止めする。そして、上階床版６の縁部に壁パネルを立設して上階を形成する。なお、この壁パネル８も、前述した下階の壁パネル４と同一構造である。そして、壁パネル８の上端部に屋根パネル９を固定する。
【００２７】
また、図４の符号２４は、上階床版６の下面側に梁部材２３を介して連結した天井板である。ここで、本実施形態では、長尺な梁部材２３を使用して天井板２４の縁部を構造用梁パネル１０の下弦枠材１４ｂに当接している。これにより、構造用梁パネル１０の座屈を、梁部材２３、上階床版６、天井板２４が抑制する。
【００２８】
上述した壁の組立て方法によると、下階を形成する壁パネル４の上端部に構造用梁パネル１０を接続しているので、下階の壁高さは、壁パネル４の高さ寸法Ｈ1 に構造用梁パネル１０の高さ寸法Ｈ2 を加えた寸法となる。そして、その構造用梁パネル１０の上端部に上階床版６の縁部を配置しているので、下階の床から天井板２４までの下階の天井高さｈ2 は、充分に高い寸法となる。すなわち、図５に示した従来構造の天井高さｈ1 より高い天井高さｈ2 となる。
【００２９】
これにより、壁パネル４の高さ寸法Ｈ1 を長く設定しなくても、構造用梁パネル１０を壁パネル４の上部に接続するだけで室内の天井高さを高くすることができるので、近年の住宅施工の要望に答えることができる。また、壁パネル４、８の間に配置した構造用梁パネル１０を化粧梁とすると、美的外観を向上させて意匠的に優れた壁とすることができる。
【００３０】
また、使用する壁パネル４、８は、通常の車両が運搬できる高さ寸法Ｈ1 に設定されており、また、構造用梁パネル１０も高さ寸法Ｈ2 が短い部材なので、特殊な運搬車を使用せずに建築現場まで搬送することができる。そのため、材料運搬費が増大しないので、施工コストの低減化を図ることができる。
【００３１】
また、構造用梁パネル１０は、発泡断熱材１２の外周を囲むように矩形枠体１４を配設し、この矩形枠体１４及び発泡断熱材１２の両側面に２枚の構造面材１６を一体化した構造となので、地震力、風圧力などの水平力や鉛直荷重に充分対抗することが可能な構造用部材とすることができる。
【００３２】
そして、発泡断熱材１２は断熱性や防音性に優れているので、梁部周囲への断熱材や防音材の張りつけ等の特別な作業が不要となり、施工コストを削減しながら断熱性能や防音性能に優れた壁構造を得ることができる。
【００３３】
また、構造用梁パネル１０の下端部には凸状接続部２０が形成され、側部には凹状接続部２２が形成されているので、壁パネル４や他の構造用梁パネル１９との接続作業を容易に行うことができる。
【００３４】
さらに、構造用梁パネル１０の矩形枠体１４は、長辺の寸法Ｌを短辺の寸法Ｓの略２倍に設定した横断面矩形状の角材Ｗを使用し、この角材Ｗの長辺及び短辺の向きを変えたり、或いは角材Ｗを二重に重ね合わせた状態で枠組みして形成している。また、構造用梁パネル１０の下端部に形成した凸状接続部２０も、二重に重ねた角材Ｗを２枚の構造用面材１６よりさらに外側に突出させて形成している。このように、構造用梁パネル１０を形成する際に、同一規格品（角材）を使用することによって部品点数を減少することができるので、構造用梁パネル１０の単価を低減することができる。
【００３５】
なお、本発明に係る構造用梁パネルは、図１から図３に示した構造用梁パネル１０の構造に限るものではなく、幅寸法や高さ寸法が前述した図と異なっても同様の作用効果を得ることができる。また、図１から図３の構造用梁パネル１０のでは、下端部に凸状接続部２０を形成し、側端面に凹状接続部２２を形成しているが、この形成位置に限定されるものではない。
【００３６】
【発明の効果】
以上説明したように、本発明の請求項１記載の壁の組立て方法によると、下階を形成する構造用壁パネルの上端部に構造用梁パネルを接続しているので、下階の壁高さは、構造用壁パネルの高さ寸法に構造用梁パネルの高さ寸法を加えた寸法となる。そして、その構造用梁パネルの上端部に上階用床部材の縁部を配置しているので、下階の床から天井までの高さは充分に高い寸法となる。これにより、構造用壁パネルの高さ寸法を長く設定しなくても、構造用梁パネルを構造用壁パネルの上部に接続するだけで室内の天井高さを高くすることができるので、近年の住宅施工の要望に答えることができる。
【００３７】
また、使用する構造用壁パネルは、通常の車両が運搬できる高さ寸法であり、また、構造用梁パネルも高さ寸法が短い部材なので、特殊な運搬車を使用せずに建築現場まで搬送することができる。そのため、材料運搬費が増大しないので、施工コストの低減化を図ることができる。
【００３８】
さらに、下階の構造用壁パネルと上階の構造用壁パネルの間に配置した構造用梁パネルを化粧梁とすると、美的外観を向上させて意匠的に優れた壁とすることができる。
【００３９】
また、請求項２記載の構造用梁パネルによると、この構造用梁パネルは、発泡断熱材の外周を囲むように矩形枠体を配設し、この矩形枠体及び発泡断熱材の両側面に２枚の構造面材を一体化した構造となので、地震力、風圧力などの水平力や鉛直荷重に充分対抗することが可能な構造用部材となる。
【００４０】
そして、発泡断熱材は断熱性や防音性に優れているので、梁部周囲への断熱材や防音材の張りつけ等の特別な作業が不要となる。そして、構造用壁パネルにも発泡断熱材を使用すると、施工コストを削減しながら断熱性能や防音性能に優れた壁構造を得ることができる。
【００４１】
また、請求項３記載の構造用梁パネルによると、請求項２記載の効果を得ることができるとともに、外周端面に凹状又は凸状接続部を形成し、この接続部が構造用壁パネルや他の構造用部材に嵌まり込むので、接続作業を容易に行うことができる。
【００４２】
さらに、請求項４記載の構造用梁パネルによると、請求項３記載の効果を得ることができるとともに、構造用梁パネルを形成するときには、矩形枠体の材料として長辺及び短辺の長さを予め規格化した角材を使用しており、同一規格の角材を使用することによって部品点数を減少することができる。したがって、構造用梁パネルの単価を低減することができる。また、構造用梁パネルの外周端面に形成する凹状又は凸状接続部も、角材の長辺及び短辺の向きを変えたり、或いは角材を二重に重ね合わせた状態で枠組みし、２枚の構造用面材から突出させるか内側に位置させるだけで簡単に形成することができる。
【図面の簡単な説明】
【図１】本発明に係る構造用梁パネルを示す正面図である。
【図２】図１のII−II線矢視図である。
【図３】図１のIII −III 線矢視図である。
【図４】本発明に係る壁の組立て方法を示す断面図である。
【図５】従来の壁の組立て方法を示す断面図である。
【符号の説明】
４、８  構造用壁パネル
６  上階床版（上階用床部材）
１０  構造用梁パネル
１２  発泡断熱材
１４  矩形枠体
１４ａ  上弦枠材
１４ｂ  下弦枠材
１４ｃ  側枠材
１６  構造用面材
２０  凸状接続部
２２  凹状接続部
２４  天井板
Ｌ  角材の長辺の寸法
Ｓ  角材の短辺の寸法
Ｗ  角材
【図１】
0003705878.tif 000002
【図２】
0003705878.tif 000003
【図３】
0003705878.tif 000004
【図４】
0003705878.tif 000005
【図５】
0003705878.tif 000006